(57)【特許請求の範囲】
【請求項１】
撮像装置との相対的な位置関係に基づき、表示部に表示する前記撮像装置を操作するための操作対象物の役割を操作部材に割り当てる制御を行う制御部を具備する情報処理装置。
【請求項２】
前記制御部は、前記撮像装置との距離に基づき、前記操作対象物の役割を前記操作部材に割り当てる制御を行う制御部を具備する請求項１記載の情報処理装置。
【請求項３】
前記制御部は、前記撮像装置が装着されているか否かに基づいて前記操作対象物の役割を前記操作部材に割り当てる制御を行う請求項１または２記載の情報処理装置。
【請求項４】
前記制御部は、前記撮像装置が装着されていない場合には、前記操作対象物を表示部に表示させ、前記撮像装置が装着されている場合には、前記操作対象物に対応する役割を前記操作部材に割り当て、前記操作対象物を前記表示部から消去する制御を行う請求項３記載の情報処理装置。
【請求項５】
前記制御部は、前記撮像装置が装着されていない場合には、前記撮像装置のズーム操作を行うための操作対象物と前記撮像装置のシャッター操作を行うための操作対象物とのそれぞれを前記表示部に表示させ、前記撮像装置が装着されている場合には、前記ズーム操作を行うための役割を前記情報処理装置の音量調整を行うための操作部材に割り当て、前記シャッター操作を行うための役割を前記情報処理装置のシャッター操作を行うための操作部材に割り当てる制御を行う請求項４記載の情報処理装置。
【請求項６】
前記制御部は、前記操作部材の役割を切り替えた場合にはその旨を示す通知情報を出力させる制御を行う請求項１ないし５記載の情報処理装置。
【請求項７】
無線通信を利用して情報処理装置と接続されて前記情報処理装置において行われる操作入力に基づいて撮像動作に関する制御が行われる撮像装置と、
前記撮像装置との相対的な位置関係に基づき、前記情報処理装置の表示部に表示する前記撮像装置を操作するための操作対象物の役割を前記情報処理装置が備える操作部材に割り当てる制御を行う情報処理装置と
を具備する撮像システム。
【請求項８】
撮像装置との相対的な位置関係に基づき、情報処理装置の表示部に表示する前記撮像装置を操作するための操作対象物の役割を前記情報処理装置が備える操作部材に割り当てる制御を行う情報処理装置の制御方法。
【請求項９】
撮像装置との相対的な位置関係に基づき、情報処理装置の表示部に表示する前記撮像装置を操作するための操作対象物の役割を前記情報処理装置が備える操作部材に割り当てる制御をコンピュータに実行させるプログラム。
【請求項１０】
撮像装置および情報処理装置の相対的な位置関係に基づき、前記情報処理装置の表示部に表示される前記撮像装置を操作するための操作対象物の役割が割り当てられる前記情報処理装置が備える操作部材に対する操作に応じて撮像動作に関する制御をコンピュータに実行させるプログラム。
【発明の詳細な説明】
【技術分野】
【０００１】
本技術は、情報処理装置および撮像装置に関する。詳しくは、撮像動作に関する制御を行う情報処理装置、撮像装置、撮像システムおよびこれらの制御方法ならびに当該方法をコンピュータに実行させるプログラムに関する。
【背景技術】
【０００２】
従来、被写体を撮像して画像（画像データ）を生成し、この画像をコンテンツとして記録するデジタルスチルカメラやデジタルビデオカメラ（例えば、カメラ一体型レコーダ）等の撮像装置が普及している。また、無線通信を利用して各種データのやり取りを行う無線通信技術が存在する。【０００３】
また、無線通信を利用して他の装置により撮像装置を操作する技術が存在する。例えば、表示部に表示されている操作スイッチ画像に対する接触操作が検出されると、その接触操作が行われた操作スイッチ画像に対応する動作を撮像装置に実行させる電子機器が提案されている（例えば、特許文献１参照。）。
【先行技術文献】
【特許文献】
【０００４】
【特許文献１】特開２００９−９４５９１号公報
【発明の概要】
【発明が解決しようとする課題】
【０００５】
上述の従来技術では、無線通信を利用して電子機器により撮像装置を操作することができるため、例えば、撮像装置および電子機器間が離れている場合でも、電子機器を用いて撮像装置を操作することができる。【０００６】
ここで、例えば、無線通信を利用して撮像装置を操作することが可能な情報処理装置に、その撮像装置を取り付けて撮像動作を行うことを想定する。この場合には、撮像装置を離れている場所に設置して撮像動作を行う場合と比較して撮像装置および情報処理装置の使用態様が異なることが想定される。このため、撮像装置および情報処理装置を用いて撮像動作を行う場合には、その使用態様に応じて適切なユーザインターフェースを提供することが重要である。【０００７】
本技術はこのような状況に鑑みて生み出されたものであり、装置の使用態様に応じた適切なユーザインターフェースを提供することを目的とする。
【課題を解決するための手段】
【０００８】
本技術は、上述の問題点を解消するためになされたものであり、その第１の側面は、撮像装置との相対的な位置関係に基づいて、情報処理装置が備える操作部材の役割を切り替える制御を行う制御部を具備する情報処理装置およびその制御方法ならびに当該方法をコンピュータに実行させるプログラムである。これにより、撮像装置との相対的な位置関係に基づいて、情報処理装置が備える操作部材の役割を切り替えるという作用をもたらす。【０００９】
また、この第１の側面において、上記制御部は、上記撮像装置が上記情報処理装置に装着されているか否かに基づいて上記操作部材の役割を切り替える制御を行うようにしてもよい。これにより、撮像装置が情報処理装置に装着されているか否かに基づいて操作部材の役割を切り替えるという作用をもたらす。【００１０】
また、この第１の側面において、上記制御部は、上記撮像装置が上記情報処理装置に装着されていない場合には、上記撮像装置を操作するための操作対象物を表示部に表示させ、上記撮像装置が上記情報処理装置に装着されている場合には、上記操作対象物に対応する役割を上記操作部材に割り当て、上記操作対象物を上記表示部から消去する制御を行うようにしてもよい。これにより、撮像装置が情報処理装置に装着されていない場合には、撮像装置を操作するための操作対象物を表示部に表示させ、撮像装置が情報処理装置に装着されている場合には、操作対象物に対応する役割を操作部材に割り当て、操作対象物を表示部から消去するという作用をもたらす。【００１１】
また、この第１の側面において、上記制御部は、上記撮像装置が上記情報処理装置に装着されていない場合には、上記撮像装置のズーム操作を行うための操作対象物と上記撮像装置のシャッター操作を行うための操作対象物とのそれぞれを上記表示部に表示させ、上記撮像装置が上記情報処理装置に装着されている場合には、上記ズーム操作を行うための役割を上記情報処理装置の音量調整を行うための操作部材に割り当て、上記シャッター操作を行うための役割を上記情報処理装置のシャッター操作を行うための操作部材に割り当てる制御を行うようにしてもよい。これにより、撮像装置が情報処理装置に装着されていない場合には、撮像装置のズーム操作を行うための操作対象物と、撮像装置のシャッター操作を行うための操作対象物とのそれぞれを表示部に表示させ、撮像装置が情報処理装置に装着されている場合には、ズーム操作を行うための役割を情報処理装置の音量調整を行うための操作部材に割り当て、シャッター操作を行うための役割を情報処理装置のシャッター操作を行うための操作部材に割り当てるという作用をもたらす。【００１２】
また、この第１の側面において、上記制御部は、上記操作部材の役割を切り替えた場合にはその旨を示す通知情報を出力させる制御を行うようにしてもよい。これにより、操作部材の役割を切り替えた場合にはその旨を示す通知情報を出力させるという作用をもたらす。【００１３】
また、本技術の第２の側面は、撮像装置および情報処理装置の相対的な位置関係に基づいて上記情報処理装置が備える操作部材の役割が切り替えられる上記情報処理装置において行われる操作入力に基づいて撮像動作に関する制御を行う制御部を具備する撮像装置およびその制御方法ならびに当該方法をコンピュータに実行させるプログラムである。これにより、情報処理装置において行われる操作部材または表示画面を用いた操作入力に基づいて撮像動作に関する制御を行うという作用をもたらす。【００１４】
また、この第２の側面において、上記撮像装置が上記情報処理装置に装着されているか否かに基づいて上記操作部材の役割が切り替えられるようにしてもよい。これにより、撮像装置が情報処理装置に装着されているか否かに基づいて操作部材の役割が切り替えられるという作用をもたらす。【００１５】
また、この第２の側面において、上記撮像装置が上記情報処理装置に装着されていない場合には、上記撮像装置を操作するための操作対象物が上記表示部に表示され、上記撮像装置が上記情報処理装置に装着されている場合には、上記操作対象物に対応する役割が上記操作部材に割り当てられ、上記操作対象物が上記表示部から消去されるようにしてもよい。これにより、撮像装置が情報処理装置に装着されていない場合には、撮像装置を操作するための操作対象物が表示部に表示され、撮像装置が情報処理装置に装着されている場合には、操作対象物に対応する役割が操作部材に割り当てられ、操作対象物が表示部から消去されるという作用をもたらす。【００１６】
また、この第２の側面において、上記撮像装置が上記情報処理装置に装着されていない場合には、上記撮像装置のズーム操作を行うための操作対象物と上記撮像装置のシャッター操作を行うための操作対象物とのそれぞれが上記表示部に表示され、上記撮像装置が上記情報処理装置に装着されている場合には、上記ズーム操作を行うための役割が上記情報処理装置の音量調整を行うための操作部材に割り当てられ、上記シャッター操作を行うための役割が上記情報処理装置のシャッター操作を行うための操作部材に割り当てられるようにしてもよい。これにより、撮像装置が情報処理装置に装着されていない場合には、撮像装置のズーム操作を行うための操作対象物と、撮像装置のシャッター操作を行うための操作対象物とのそれぞれが表示部に表示され、撮像装置が情報処理装置に装着されている場合には、ズーム操作を行うための役割が情報処理装置の音量調整を行うための操作部材に割り当てられ、シャッター操作を行うための役割が情報処理装置のシャッター操作を行うための操作部材に割り当てられるという作用をもたらす。【００１７】
また、この第２の側面において、上記操作部材の役割が切り替えられた場合にはその旨を示す通知情報が上記情報処理装置から出力されるようにしてもよい。これにより、操作部材の役割が切り替えられた場合にはその旨を示す通知情報が情報処理装置から出力されるという作用をもたらす。【００１８】
また、本技術の第３の側面は、無線通信を利用して情報処理装置と接続されて上記情報処理装置において行われる操作入力に基づいて撮像動作に関する制御が行われる撮像装置と、上記撮像装置との相対的な位置関係に基づいて、上記情報処理装置が備える操作部材の役割を切り替える制御を行う情報処理装置とを具備する撮像システムおよびその制御方法ならびに当該方法をコンピュータに実行させるプログラムである。これにより、撮像装置は、情報処理装置において行われる操作入力に基づいて撮像動作に関する制御が行われ、情報処理装置は、撮像装置との相対的な位置関係に基づいて、情報処理装置が備える操作部材の役割を切り替えるという作用をもたらす。
【発明の効果】
【００１９】
本技術によれば、装置の使用態様に応じた適切なユーザインターフェースを提供することができるという優れた効果を奏し得る。なお、ここに記載された効果は必ずしも限定されるものではなく、本開示中に記載されたいずれかの効果であってもよい。
【図面の簡単な説明】
【００２０】
【図１】本技術の第１の実施の形態における撮像装置１００の外観構成を示す図である。
【図２】本技術の第１の実施の形態における撮像装置１００を情報処理装置２００に取り付けた場合の外観構成を示す図である。
【図３】本技術の第１の実施の形態における撮像装置１００および情報処理装置２００の機能構成例を示すブロック図である。
【図４】本技術の第１の実施の形態における撮像装置１００および情報処理装置２００の使用例を示す図である。
【図５】本技術の第１の実施の形態における入出力部２４０に表示される表示画面および操作部材の切替例を示す図である。
【図６】本技術の第１の実施の形態における入出力部２４０に表示される表示画面および操作部材の切替例を示す図である。
【図７】本技術の第１の実施の形態における情報処理装置２００による操作部材切替処理の処理手順の一例を示すフローチャートである。
【図８】本技術の第１の実施の形態における情報処理装置２００による操作部材切替処理の処理手順のうちの撮像装置１００が装着の場合の操作部材切替処理（図７に示すステップＳ９１０の処理手順）を示すフローチャートである。
【図９】本技術の第１の実施の形態における情報処理装置２００による操作部材切替処理の処理手順のうちの撮像装置１００が未装着の場合の操作部材切替処理（図７に示すステップＳ９２０の処理手順）を示すフローチャートである。
【図１０】本技術の第２の実施の形態における操作部材２２３（電源ボタン）の押下操作による動作の切替例を示す図である。
【図１１】本技術の第２の実施の形態における入出力部２４０に表示される表示画面および操作部材の切替例を示す図である。
【発明を実施するための形態】
【００２１】
以下、本技術を実施するための形態（以下、実施の形態と称する）について説明する。説明は以下の順序により行う。
１．第１の実施の形態（撮像装置および情報処理装置の相対的な位置関係に基づいて、情報処理装置が備える操作部材の役割を切り替える例）
２．第２の実施の形態（撮像装置を情報処理装置に装着する場合において操作部材の接触による誤動作を防止する例）
【００２２】
＜１．第１の実施の形態＞
［撮像装置の外観構成例］
図１は、本技術の第１の実施の形態における撮像装置１００の外観構成を示す図である。図１のａには、撮像装置１００の正面図を示し、図１のｂには、撮像装置１００の側面図（矢印Ａから見た場合における側面図）を示す。
【００２３】
また、本技術の実施の形態では、撮像装置１００を、円筒形（円柱形）の撮像装置（例えば、レンズスタイルのカメラ）とする例を示す。すなわち、撮像装置１００の形状を、一般の撮像装置（例えば、一体型カメラ）のレンズ部分のみを取り出したような形状とする例を示す。なお、撮像装置１００は、ズームレバーやシャッターボタン等の操作部材を備えるが、図１等では、これらの図示を省略する。また、撮像装置１００は、例えば、デジタルスチルカメラやデジタルビデオカメラ（例えば、カメラ一体型レコーダ）により実現される。
【００２４】
撮像装置１００は、鏡筒１６０と、取付部材１７１、１７２とを備える。鏡筒１６０は、光学系、撮像系等の各部材を収容するものである。
【００２５】
取付部材１７１、１７２は、撮像装置１００を他の装置（例えば、図２に示す情報処理装置２００）に取り付ける際に用いられるアタッチメントである。例えば、他の装置の形状、サイズに応じて、取付部材１７１を矢印１７３方向に移動させ、取付部材１７２を矢印１７４方向に移動させることにより、撮像装置１００をその装置に取り付けることができる。すなわち、取付部材１７１、１７２は、撮像装置１００を他の装置に固定するためのアタッチメントである。また、撮像装置１００を他の装置に装着する場合のアタッチメント面を装着面１７５（図１のａに示すレンズ側の面の反対側の面）として示す。なお、撮像装置１００を他の装置に取り付ける場合の例を図２に示す。
【００２６】
このように、撮像装置１００は、例えば、通常の撮像動作を行うことが可能であるとともに、他の装置（例えば、スマートフォン）に装着して使用することができる。また、他の装置に装着して使用する場合には、他の装置を用いた遠隔操作により撮像装置１００を操作することができる。
【００２７】
［撮像装置の取付例］
図２は、本技術の第１の実施の形態における撮像装置１００を情報処理装置２００に取り付けた場合の外観構成を示す図である。
【００２８】
図２のａおよびｂには、情報処理装置２００の一面（撮像部２９２が備えられている面）に撮像装置１００を取り付けた場合の例を示す。図２のａには、情報処理装置２００に撮像装置１００を取り付けた場合の正面図を示す。また、図２のｂには、情報処理装置２００に撮像装置１００を取り付けた場合の斜視図を示す。
【００２９】
情報処理装置２００は、操作部材２２１乃至２２３と、入出力部２４０（図３等に示す）と、音声出力部２８０と、発光部２９１と、撮像部２９２とを備える。なお、情報処理装置２００は、例えば、スマートフォン、タブレット端末等の情報処理装置により実現される。
【００３０】
操作部材２２１乃至２２３は、各種の操作入力を行う際に用いられる操作部材である。例えば、操作部材２２１は、情報処理装置２００のシャッター操作（撮像部２９２により生成される画像（画像データ）を画像コンテンツとして記録するための操作）を行う際に用いられる操作部材（シャッターボタン（シャッターキー））である。また、操作部材２２２は、音声出力部２８０から出力される音量を調整するための操作を行う際に用いられる操作部材（音量調整ボタン（音量バー））である。また、操作部材２２３は、情報処理装置２００の電源のオンオフ操作を行う際に用いられる操作部材（電源ボタン）である。
【００３１】
入出力部２４０は、各種画像を表示するとともに、入出力部２４０の表示面に近接または接触する物体の検出状態に基づいてユーザからの操作入力を受け付けるものである。
【００３２】
音声出力部２８０は、各種の音声情報を出力するものである。
【００３３】
発光部２９１は、被写体に対して光を発光させる発光装置である。発光部２９１は、例えば、夜間や室内等のように十分な明るさが期待できない環境において情報処理装置２００を用いて撮像動作を行う際に用いられる。
【００３４】
撮像部２９２は、被写体を撮像して画像（画像データ）を生成するものである。
【００３５】
図２に示すように、撮像装置１００の取付部材１７１、１７２により情報処理装置２００の本体を挟むことにより、撮像装置１００を情報処理装置２００に固定することができる。なお、情報処理装置２００における他の部分（図２に示す部分以外の部分）に撮像装置１００を取り付けるようにしてもよい。
【００３６】
［撮像装置および情報処理装置の機能構成例］
図３は、本技術の第１の実施の形態における撮像装置１００および情報処理装置２００の機能構成例を示すブロック図である。なお、撮像装置１００および情報処理装置２００により構成される撮像システムは、請求の範囲に記載の撮像システムの一例である。
【００３７】
撮像装置１００は、撮像部１１０と、画像処理部１２０と、記憶部１３０と、制御部１４０と、無線通信部１５０とを備える。
【００３８】
撮像部１１０は、制御部１４０の制御に基づいて、被写体を撮像して画像（画像データ）を生成するものであり、生成された画像を画像処理部１２０に出力する。撮像部１１０は、例えば、光学系（複数のレンズ）、撮像素子により構成される。また、撮像部１１０は、制御部１４０の制御に基づいて、各部（例えば、ズームレンズ、フォーカスレンズ、絞り）が制御される。なお、本技術の実施の形態では、「画像」と記載した場合には、画像そのものと、その画像を表示するための画像データとの両方の意味を含むものとする。
【００３９】
画像処理部１２０は、制御部１４０の制御に基づいて、撮像部１１０から出力された画像について所定の画像処理（例えば、デモザイク処理）を施すものであり、その画像処理が施された画像を記憶部１３０に記憶させる。なお、画像処理部１２０により画像処理が施された画像については、無線通信を利用して情報処理装置２００に送信して記憶部２７０に記憶させるようにしてもよい。
【００４０】
記憶部１３０は、画像処理部１２０により画像処理が施された画像をコンテンツ（例えば、静止画ファイル、動画ファイル）として記憶する記録媒体である。なお、記憶部１３０は、撮像装置１００に内蔵するようにしてもよく、撮像装置１００から着脱可能とするようにしてもよい。
【００４１】
制御部１４０は、制御プログラムに基づいて撮像装置１００における各部を制御するものである。例えば、制御部１４０は、撮像装置１００に備えられているズームレバーやシャッターボタン等の操作部材（図示せず）により受け付けられた操作入力に基づいて各部を制御する。また、制御部１４０は、無線通信部１５０を介して受信される情報処理装置２００からの制御情報に基づいて各部を制御する。すなわち、情報処理装置２００を用いて撮像装置１００を遠隔操作することができる。
【００４２】
無線通信部１５０は、制御部１４０の制御に基づいて、無線通信を利用して、他の情報処理装置（例えば、情報処理装置２００）との間で各情報（例えば、制御データ、画像データ）の送受信を行うものである。
【００４３】
ここで、無線通信として、例えば、ＮＦＣ（Near Field Communication）、無線ＬＡＮ（Local Area Network）を用いることができる。この無線ＬＡＮとして、例えば、Ｗｉ−Ｆｉ（Wireless Fidelity）を用いることができる。また、無線通信として、例えば、Ｂｌｕｅｔｏｏｔｈ（登録商標）、赤外線、携帯電波等の無線通信を用いることができる。
【００４４】
また、複数の無線通信方式を用いることができる。例えば、無線通信の開始時には、ＮＦＣにより電源のオンとＷｉ−Ｆｉに関するデータ（例えば、ＳＳＩＤ（Service Set Identifier））のやりとりのみを行う。そして、これ以降のデータのやりとりについては、Ｗｉ−Ｆｉにより行うことができる。
【００４５】
また、例えば、撮像装置１００の情報処理装置２００への装着を検出する際には、ＮＦＣによるデータのやりとりを用いることができる。また、撮像装置１００および情報処理装置２００間の画像データや制御データのやりとりについては、Ｗｉ−Ｆｉを利用して行うことができる。
【００４６】
情報処理装置２００は、姿勢検出部２１０と、操作受付部２２０と、無線通信部２３０と、入出力部２４０と、制御部２５０と、画像処理部２６０と、記憶部２７０と、音声出力部２８０とを備える。
【００４７】
姿勢検出部２１０は、情報処理装置２００の加速度、動き、傾き等を検出することにより情報処理装置２００の姿勢の変化を検出するものであり、検出された姿勢の変化に関する姿勢情報を制御部２５０に出力する。なお、姿勢検出部２１０として、例えば、ジャイロセンサ、加速度センサ等の各種センサを用いることができる。
【００４８】
操作受付部２２０は、ユーザにより行われた操作を受け付ける操作受付部であり、受け付けられた操作内容に応じた制御情報（操作情報）を制御部２５０に出力する。なお、操作受付部２２０は、例えば、図２に示す操作部材２２１乃至２２３に対応する。
【００４９】
無線通信部２３０は、制御部２５０の制御に基づいて、無線通信を利用して他の情報処理装置（例えば、撮像装置１００）との間で各情報（例えば、制御データ、画像データ）の送受信を行うものである。無線通信として、例えば、上述した無線ＬＡＮ（例えば、Ｗｉ−Ｆｉ）、ＮＦＣ、Ｂｌｕｅｔｏｏｔｈ、赤外線、携帯電波等を用いることができる。また、複数の無線通信方式を用いるようにしてもよい。
【００５０】
入出力部２４０は、入力部２４１および表示部２４２が一体として構成されているものである。また、入出力部２４０は、制御部２５０の制御に基づいて各種画像を表示部２４２に表示するとともに、表示部２４２の表示面に近接または接触する物体の検出状態に基づいてユーザからの操作入力を入力部２４１により受け付ける。また、入力部２４１は、受け付けられた操作入力に応じた制御情報を制御部２５０に出力する。
【００５１】
例えば、入力部２４１として、導電性を有する物体（例えば、人物の指）の接触または近接を、静電容量の変化に基づいて検出する静電式（静電容量方式）のタッチパネルを用いることができる。また、例えば、表示部２４２として、ＬＣＤ（Liquid Crystal Display）、有機ＥＬ（Electro Luminescence）パネル等の表示パネルを用いることができる。そして、入出力部２４０は、例えば、表示パネルの表示面上に、透明なタッチパネルを重ね合わせることにより構成される。
【００５２】
例えば、ユーザは表示部２４２に表示されている操作対象物等の接触操作（または、近接操作）を行うことにより情報処理装置２００や撮像装置１００の操作が可能となる。ここで、操作対象物は、例えば、図５のａに示す操作対象物３０１乃至３０７のように、入出力部２４０に表示されるものであり、操作入力を行うための操作ボタン（ＧＵＩ（Graphical User Interface）ボタン）等である。
【００５３】
制御部２５０は、制御プログラムに基づいて情報処理装置２００における各部を制御するものである。例えば、制御部２５０は、姿勢検出部２１０からの姿勢情報に基づいて、情報処理装置２００の姿勢を判断し、この判断結果に基づいて、入出力部２４０に表示させる表示画面の表示態様を切り替える。例えば、制御部２５０は、姿勢検出部２１０からの姿勢情報に基づいて、情報処理装置２００の姿勢の上下方向を判断し、この判断結果に基づいて、入出力部２４０に表示させる表示画面の上下方向を切り替える。
【００５４】
また、例えば、制御部２５０は、無線通信部２３０を介して情報処理装置２００および撮像装置１００が接続されている場合には、撮像装置１００に関する各種情報を表示する表示画面を入出力部２４０に表示させる。この場合に、制御部２５０は、撮像装置１００との相対的な位置関係に基づいて、情報処理装置２００が備える操作部材（例えば、図２に示す操作部材２２１乃至２２３）の役割を切り替える制御を行う。例えば、制御部２５０は、撮像装置１００が情報処理装置２００に装着されているか否かに基づいて、操作部材の役割を切り替える制御を行う。この場合に、例えば、制御部２５０は、撮像装置１００が情報処理装置２００に未装着の場合には、撮像装置１００を操作するための操作対象物（例えば、図５のａに示す操作対象物３０２、３０７）を入出力部２４０に表示させる制御を行う。一方、制御部２５０は、撮像装置１００が情報処理装置２００に装着の場合には、それらの操作対象物に対応する役割を操作部材（例えば、図５のｂに示す操作部材２２１、２２２）に割り当て、それらの操作対象物を入出力部２４０から消去する制御を行う。
【００５５】
具体的には、制御部２５０は、撮像装置１００が未装着の場合には、撮像装置１００のズーム操作を行うための操作対象物３０７と、撮像装置１００のシャッター操作を行うための操作対象物３０２とのそれぞれを入出力部２４０に表示させる。一方、制御部２５０は、撮像装置１００が情報処理装置２００に装着の場合には、ズーム操作を行うための役割を情報処理装置２００の音量調整を行うための操作部材２２２に割り当てる制御を行う。また、制御部２５０は、撮像装置１００のシャッター操作を行うための役割を情報処理装置２００のシャッター操作を行うための操作部材２２１に割り当てる制御を行う。例えば、制御部２５０は、各操作部材とこれらに割り当てられた役割とを関連付けて記録するテーブルを用いて、各操作部材とこれらに割り当てられた役割とを管理することができる。
【００５６】
また、例えば、制御部２５０は、操作部材の役割を切り替えた場合には、その旨を示す通知情報（例えば、図６のａに示す通知情報３１１、３１２、図６のｂに示す通知情報３１３）を出力させる制御を行う。
【００５７】
このように、情報処理装置２００において、無線通信を利用して接続される撮像装置１００および情報処理装置２００の相対的な位置関係に基づいて情報処理装置２００が備える操作部材の役割が切り替えられる。また、撮像装置１００の制御部１４０は、その操作部材の役割が切り替えられる情報処理装置２００において行われる操作部材、または、表示部２４２に表示される表示画面を用いた操作入力に基づいて撮像動作に関する制御を行う。
【００５８】
画像処理部２６０は、制御部２５０の制御に基づいて、撮像装置１００により生成された画像や撮像部２９２（図２のａおよびｂに示す）により生成された画像について所定の画像処理を施すものであり、その画像処理が施された画像を表示部２４２に表示させる。また、画像処理部２６０は、制御部２５０の制御に基づいて、それらの画像を記憶部２７０に記憶させる。また、画像処理部２６０は、制御部２５０の制御に基づいて、撮像装置１００を用いた撮像動作が行われている場合に用いられる表示画面を表示部２４２に表示させる。
【００５９】
記憶部２７０は、制御部２５０の制御に基づいて、各情報を記憶する記録媒体である。例えば、記憶部２７０には、撮像装置１００により生成された画像や撮像部２９２（図２のａおよびｂに示す）により生成された画像がコンテンツ（例えば、静止画ファイル、動画ファイル）として記憶される。なお、記憶部２７０は、情報処理装置２００に内蔵するようにしてもよく、情報処理装置２００から着脱可能とするようにしてもよい。
【００６０】
音声出力部２８０は、制御部２５０の制御に基づいて、音声情報を出力するものである。音声出力部２８０は、例えば、スピーカにより実現することができる。
【００６１】
［撮像装置および情報処理装置の使用例］
図４は、本技術の第１の実施の形態における撮像装置１００および情報処理装置２００の使用例を示す図である。
【００６２】
図４のａには、情報処理装置２００に撮像装置１００を装着して使用する場合の一例を示す。例えば、図２のａおよびｂに示すように、情報処理装置２００の一面（入出力部２４０が設けられている面の反対側の面）に撮像装置１００を装着することができる。この場合には、ユーザ４００は、撮像装置１００が装着されている情報処理装置２００を用いて、一般の撮像装置（例えば、一体型カメラ）を使用した撮影と略同様に撮影を行うことができる。
【００６３】
図４のｂには、情報処理装置２００に撮像装置１００を装着せずに使用する場合の一例を示す。例えば、図４のｂに示すように、情報処理装置２００から離れている場所に撮像装置１００を設置することができる。この場合でも、ユーザ４００は、情報処理装置２００を用いて撮像装置１００を遠隔操作することができるため、撮像装置１００および情報処理装置２００を用いた撮影を行うことができる。
【００６４】
ここで、情報処理装置２００に撮像装置１００を装着した場合と、これ以外の場合とでは、情報処理装置２００の使用態様（例えば、持ち方）が異なることが想定される。そこで、本技術の第１の実施の形態では、撮像装置１００および情報処理装置２００の相対的な位置関係に基づいて、情報処理装置２００が備える操作部材の役割を切り替える例を示す。
【００６５】
［撮像装置および情報処理装置間の接続関係の判定例］
ここで、撮像装置１００および情報処理装置２００間の接続関係を判定する方法について説明する。
【００６６】
［受信電波強度を用いた距離の推定例］
例えば、受信電波強度を用いて撮像装置１００および情報処理装置２００間の距離を推定することができる。例えば、受信電波強度と距離との関係を示すテーブルを予め作成しておき、記憶部２７０に記憶しておく。そして、情報処理装置２００の制御部２５０は、無線通信部２３０により取得された受信電波強度に対応する距離をそのテーブルから取得し、この距離を撮像装置１００および情報処理装置２００間の距離として用いることができる。また、情報処理装置２００の制御部２５０は、そのテーブルから取得された距離が閾値（例えば、１乃至１０ｃｍ）未満である場合には、撮像装置１００が情報処理装置２００に装着されていると判断することができる。
【００６７】
［装着を検出するための部材を用いる例］
例えば、情報処理装置２００に撮像装置１００が装着されたことを検出するための部材を用いて撮像装置１００の装着を検出することができる。その部材として、例えば、撮像装置１００および情報処理装置２００の少なくとも一方にスイッチを設けることができる。
【００６８】
例えば、撮像装置１００にスイッチを設ける場合を想定する。この場合には、情報処理装置２００に撮像装置１００が装着されたときには、そのスイッチによりその装着が検出され、その装着が検出された旨を示す情報が制御部１４０に出力される。そして、その装着が検出された旨を示す情報を取得した場合には、制御部１４０は、その旨を無線通信部１５０を介して情報処理装置２００に送信する。これにより、情報処理装置２００の制御部２５０は、情報処理装置２００に撮像装置１００が装着されたことを検出することができる。
【００６９】
また、例えば、情報処理装置２００にスイッチを設ける場合を想定する。この場合に、情報処理装置２００に撮像装置１００が装着されたときには、そのスイッチによりその装着が検出され、その装着が検出された旨を示す情報が制御部２５０に出力される。これにより、情報処理装置２００の制御部２５０は、情報処理装置２００に撮像装置１００が装着されたことを検出することができる。
【００７０】
また、他のセンサを用いて、撮像装置１００および情報処理装置２００間の距離を検出するようにしてもよい。例えば、距離センサ（例えば、赤外線や超音波を用いて距離を検出するセンサ）を用いることができる。また、例えば、ＧＰＳ（Global Positioning System）を用いて撮像装置１００および情報処理装置２００間の距離を検出するようにしてもよい。例えば、ＧＰＳを用いて撮像装置１００および情報処理装置２００のそれぞれの位置を取得し、これらの位置に基づいて撮像装置１００および情報処理装置２００間の距離を算出することができる。また、情報処理装置２００の制御部２５０は、その算出された距離が閾値（例えば、１乃至１０ｃｍ）未満である場合には、撮像装置１００が情報処理装置２００に装着されていると判断することができる。
【００７１】
［近距離無線通信を用いて撮像装置の装着を検出する例］
例えば、近距離無線通信を用いて撮像装置１００の情報処理装置２００への装着を検出することができる。ここでは、近距離無線通信として、ＮＦＣ（Near Field Communication）を用いる例を示す。
【００７２】
例えば、ＮＦＣでは、装置間で定期的な通信が行われる。例えば、情報処理装置２００から定期的にＰｏｌｌｉｎｇ  Ｃｏｍｍａｎｄが発行される。このＰｏｌｌｉｎｇ  Ｃｏｍｍａｎｄは、ＮＦＣ規格で定められているＮＦＣ  Ｔａｇの判別用コマンドである（例えば、NFC Forum Type3 Tag Operation Specification NFC Forum-TS-Type-3-Tag_1.1参照。）。
【００７３】
例えば、定期的に発行されるＰｏｌｌｉｎｇ  Ｃｏｍｍａｎｄに対する応答（Ｐｏｌｌｉｎｇ  Ｒｅｓｐｏｎｃｅ）がある場合には、情報処理装置２００は、近接する装置が存在すると判断することができる。ここで、ＮＦＣを利用したデータ通信が可能となる距離は、１乃至１０ｃｍ程度である。そこで、Ｐｏｌｌｉｎｇ  Ｒｅｓｐｏｎｃｅがある場合には、情報処理装置２００の制御部２５０は、撮像装置１００が情報処理装置２００に装着されたと判断することができる。
【００７４】
また、Ｐｏｌｌｉｎｇ  Ｃｏｍｍａｎｄに対する応答（Ｐｏｌｌｉｎｇ  Ｒｅｓｐｏｎｃｅ）がない場合には、情報処理装置２００は、近接する装置が存在しないと判断することができる。この場合には、情報処理装置２００の制御部２５０は、撮像装置１００が情報処理装置２００に装着されていないと判断することができる。
【００７５】
ここで、ＮＦＣは、広く普及している。また、ＮＦＣは、スマートフォン等の情報処理装置に搭載されていることが多い。このため、ＮＦＣを搭載している情報処理装置の場合には、ＮＦＣを用いた装着の検出を行うことにより、その検出を行うためのハードウエアを新たに設ける必要がない。これにより、情報処理装置の製造コストを低減させることができる。
【００７６】
ここで、例えば、撮像装置が情報処理装置に装着されずに、撮像装置および情報処理装置が近接しているような場合も想定される。このような場合に、ＮＦＣ以外の近距離無線通信を利用して装着検出をすると、撮像装置が装着されていると誤検出されてしまうおそれがある。そこで、本技術の実施の形態では、近距離無線通信としてＮＦＣを利用する。これにより、撮像装置の装着検出の精度を高めることができる。
【００７７】
［Ｃｈｅｃｋ  ＣｏｍｍａｎｄおよびＣｈｅｃｋ  Ｒｅｓｐｏｎｃｅを用いて撮像装置の装着を検出する例］
以上では、ＮＦＣを用いて撮像装置の装着を検出する例を示した。このように、ＮＦＣを用いて撮像装置の装着を検出する場合には、Ｃｈｅｃｋ  ＣｏｍｍａｎｄおよびＣｈｅｃｋ  Ｒｅｓｐｏｎｃｅを用いて撮像装置の装着を検出するようにしてもよい。
【００７８】
例えば、Ｃｈｅｃｋ  ＣｏｍｍａｎｄおよびＣｈｅｃｋ  Ｒｅｓｐｏｎｃｅのやりとりを行い、Ｃｈｅｃｋ  Ｒｅｓｐｏｎｃｅに特定情報が含まれている場合に、撮像装置１００が情報処理装置２００に装着されていると判断することができる。ここで、特定情報は、撮像装置１００を特定するための情報（識別情報）である。また、ｃｈｅｃｋ  ｃｏｍｍａｎｄおよびｃｈｅｃｋ  ｒｅｓｐｏｎｓｅは、ＮＦＣ  ｔａｇの内容を読み出すためのコマンドである。このコマンドは、ＮＦＣ  Ｆｏｒｕｍ  Ｔｙｐｅ３  Ｔａｇ  Ｏｐｅｒａｔｉｏｎ  Ｓｐｅｃｉｆｉｃａｔｉｏｎに定義されている。
【００７９】
例えば、上述したように、Ｐｏｌｌｉｎｇ  Ｃｏｍｍａｎｄの発行、Ｐｏｌｌｉｎｇ  Ｃｏｍｍａｎｄに対する応答（Ｐｏｌｌｉｎｇ  Ｒｅｓｐｏｎｃｅ）のやりとりが行われる。
【００８０】
そして、Ｐｏｌｌｉｎｇ  Ｒｅｓｐｏｎｃｅを受信すると、情報処理装置２００の制御部２５０は、Ｃｈｅｃｋ  Ｃｏｍｍａｎｄを送信する。このＣｈｅｃｋ  Ｃｏｍｍａｎｄを受信すると、撮像装置１００の制御部１４０は、Ｃｈｅｃｋ  Ｃｏｍｍａｎｄに対する応答（Ｃｈｅｃｋ  Ｒｅｓｐｏｎｃｅ）を送信する。この場合に、撮像装置１００の制御部１４０は、特定情報（撮像装置１００を特定するための情報（識別情報））をＣｈｅｃｋ  Ｒｅｓｐｏｎｃｅに含めて送信する。
【００８１】
例えば、「ＡＢＣ  ＤＳＣ／Ｌｅｎｓ−Ｓｔｙｌｅ  Ｃａｍｅｒａ」を表す情報を特定情報としてＣｈｅｃｋ  Ｒｅｓｐｏｎｃｅに含めて送信することができる。ここで、例えば、「ＡＢＣ」は、撮像装置１００を製造する会社名を示す情報であり、「ＤＳＣ」は、撮像装置である旨を示す情報であるものとする。また、「Ｌｅｎｓ−Ｓｔｙｌｅ  Ｃａｍｅｒａ」は、レンズスタイルのカメラである旨を示す情報であるものとする。
【００８２】
このように、撮像装置１００の制御部１４０は、特定情報をＣｈｅｃｋ  Ｒｅｓｐｏｎｃｅに含めて送信する。これにより、Ｃｈｅｃｋ  Ｒｅｓｐｏｎｃｅを受信した情報処理装置２００は、Ｃｈｅｃｋ  Ｒｅｓｐｏｎｃｅに含まれる特定情報に基づいて、Ｃｈｅｃｋ  Ｒｅｓｐｏｎｃｅを送信した装置が撮像装置１００であることを把握することができる。すなわち、Ｃｈｅｃｋ  Ｒｅｓｐｏｎｃｅを送信した装置が、「ＡＡＡ」会社製のレンズスタイルのカメラ（撮像装置１００）であることを把握することができる。
【００８３】
Ｃｈｅｃｋ  Ｒｅｓｐｏｎｃｅを受信すると、情報処理装置２００の制御部２５０は、Ｃｈｅｃｋ  Ｒｅｓｐｏｎｃｅの内容を取得する。続いて、情報処理装置２００の制御部２５０は、Ｃｈｅｃｋ  Ｒｅｓｐｏｎｃｅに特定情報が含まれているか否かを判断する。そして、情報処理装置２００の制御部２５０は、Ｃｈｅｃｋ  Ｒｅｓｐｏｎｃｅに特定情報が含まれている場合には、撮像装置１００が装着されていると判定する。一方、情報処理装置２００の制御部２５０は、Ｃｈｅｃｋ  Ｒｅｓｐｏｎｃｅに特定情報が含まれていない場合には、撮像装置１００が装着されていないと判定する。
【００８４】
なお、上述した距離の検出方法や装着の検出方法は、一例であり、これらに限定されるものではなく、他の検出方法を用いるようにしてもよい。
【００８５】
［操作部材の切替例］
図５は、本技術の第１の実施の形態における入出力部２４０に表示される表示画面および操作部材の切替例を示す図である。
【００８６】
図５のａには、撮像装置１００が情報処理装置２００に装着されていない場合の例を示し、図５のｂには、撮像装置１００が情報処理装置２００に装着されている場合の例を示す。
【００８７】
また、図５では、撮像装置１００および情報処理装置２００を用いた撮像動作が行われている場合に、撮像装置１００の撮像部１１０により生成された画像がライブビュー画像として入出力部２４０に表示される例を示す。すなわち、撮像装置１００の撮像部１１０により生成された画像が、無線通信部１５０、２３０を介して、情報処理装置２００に順次送信され、その画像がライブビュー画像として入出力部２４０に表示される。なお、撮像装置１００および情報処理装置２００間の画像データや制御データのやりとりについては、Ｗｉ−Ｆｉを利用して行うことができる。また、図５では、山を被写体とする画像をライブビュー画像３００として表示する例を示す。
【００８８】
また、図５では、撮像装置１００および情報処理装置２００を用いた撮像動作が行われている場合に、撮像装置１００を操作するための操作対象物を入出力部２４０に表示する例を示す。この操作対象物は、例えば、ライブビュー画像の周り、または、ライブビュー画像に重ねて入出力部２４０に表示される。
【００８９】
また、図５では、ライブビュー画像３００が表示され、ライブビュー画像３００の両側に複数の操作対象物３０１乃至３０４が表示され、ライブビュー画像３００に重ねて複数の操作対象物３０５乃至３０７が表示される例を示す。なお、図５では、ユーザが右利きであることを想定して説明する。
【００９０】
なお、操作対象物３０１は、撮像装置１００の撮影モードを切り替える際に押下される操作対象物である。また、操作対象物３０２は、撮像装置１００のシャッター操作を行う際に押下される操作対象物である。また、操作対象物３０３は、撮像装置１００の各種の設定操作を行う際に押下される操作対象物である。また、操作対象物３０４は、画像の再生を行う際に押下される操作対象物である。また、操作対象物３０５、３０６は、撮像装置１００の各種の設定情報を表示して各設定を変更するための操作対象物である。
【００９１】
また、操作対象物３０７は、撮像装置１００のズーム操作を行うための操作対象物である。例えば、操作対象物３０７として、Ｗ（ワイド）ボタン（ワイド側ボタン）およびＴ（テレ）ボタン（テレ側ボタン）が表示される。例えば、ＷボタンまたはＴボタンについてユーザ操作が行われた場合には、制御部２５０は、そのユーザ操作に応じた制御情報を取得し、この制御情報を無線通信部２３０、１５０を介して撮像装置１００の制御部１４０に送信する。この制御情報を受信した場合には、撮像装置１００の制御部１４０は、その受信した制御情報に基づいて撮像部１１０のズームレンズの駆動を制御する。
【００９２】
上述したように、撮像装置１００の本体には、ズーム操作を行うための操作部材（ズームレバー）と、シャッター操作を行うための操作部材（シャッターボタン）とが備えられている。しかしながら、例えば、撮像装置１００が情報処理装置２００に装着されていない場合には、撮像装置１００の本体に備えられている操作部材（ズームレバー、シャッターボタン）にユーザが届かないことも想定される。この場合には、ユーザは、撮像装置１００の本体に備えられている操作部材（ズームレバー、シャッターボタン）を操作することができない。そこで、図５のａに示すように、撮像装置１００が情報処理装置２００に装着されていない場合には、ユーザが操作し易い部分（右利きのユーザが操作し易い右側部分）に操作対象物３０２、３０７を表示させるようにする。このように、操作対象物３０２、３０７を配置することにより、ユーザは右手の親指でズーム操作およびシャッター操作を容易に行うことができる。
【００９３】
このように、情報処理装置２００のＵＩ上でシャッター操作およびズーム操作をユーザが容易に行えるようにする。
【００９４】
ここで、撮像装置１００が情報処理装置２００に装着されていない場合（撮像装置１００が情報処理装置２００から離れている場合）において、情報処理装置２００を用いて撮像装置１００を操作する場合を想定する。この場合には、ユーザは、情報処理装置２００による撮像装置１００の操作（いわゆる、リモコン操作）であると認識して操作することが想定される。このため、情報処理装置２００の操作部材（ハードウエアキー）の役割を変更してしまうと、ユーザが混乱するおそれがある。
【００９５】
そこで、撮像装置１００が情報処理装置２００に装着されていない場合（撮像装置１００が情報処理装置２００から離れている場合）には、撮像装置１００を操作するための操作対象物を入出力部２４０に表示して用いるようにする。
【００９６】
ここで、撮像装置１００が情報処理装置２００に装着されている場合において、情報処理装置２００を用いて撮像装置１００を操作する場合を想定する。この場合には、ユーザは、情報処理装置２００による撮像装置１００の操作（いわゆる、リモコン操作）ではなく、一般の撮像装置（例えば、一体型カメラ）と比較して違和感がない程度の操作性を期待することが想定される。このため、情報処理装置２００の操作部材（ハードウエアキー）の役割を変更して、一般の撮像装置（例えば、一体型カメラ）に相当する操作性を実現する。
【００９７】
そこで、情報処理装置２００の制御部２５０は、操作部材２２１の役割を、情報処理装置２００のシャッター操作をするための操作部材（シャッターボタン）から、撮像装置１００のシャッター操作をするための操作部材（シャッターボタン）に切り替える。
【００９８】
また、情報処理装置２００の制御部２５０は、操作部材２２２の役割を、情報処理装置２００の音量を調整するための操作部材（音量調整ボタン）から、撮像装置１００のズーム操作をするための操作部材（ズームボタン）に切り替える。
【００９９】
また、図５のｂに示すように、撮像装置１００が情報処理装置２００に装着されている場合には、図５のａに示す操作対象物３０４、３０７を消去するようにする。なお、操作対象物３０４、３０７を消去する代わりに、ユーザが操作し易い部分とは異なる部分に操作対象物３０４、３０７を表示するようにしてもよい。
【０１００】
このように、本技術の実施の形態では、撮像装置１００および情報処理装置２００の接続関係に応じて情報処理装置２００が備える操作部材（ハードキー）の役割を切り替えることができる。すなわち、撮像装置１００および情報処理装置２００の相対的な位置関係に基づいて、情報処理装置２００が備える操作部材（ハードキー）の役割を切り替えることができる。これにより、情報処理装置２００が備える操作部材（ハードキー）を有効に利用することができ、操作性を向上させることができる。
【０１０１】
［操作部材の切替を通知する例］
以上では、撮像装置１００および情報処理装置２００の接続関係に応じて情報処理装置２００が備える操作部材（ハードキー）の役割を切り替える例を示した。このように、役割を切り替える場合に、ユーザがその切替を把握していないことも想定される。そこで、以下では、情報処理装置２００が備える操作部材（ハードキー）の役割を切り替えた場合に、その旨を通知する例を示す。
【０１０２】
図６は、本技術の第１の実施の形態における入出力部２４０に表示される表示画面および操作部材の切替例を示す図である。
【０１０３】
図６のａには、撮像装置１００が情報処理装置２００に装着されていない場合の例を示し、図６のｂには、撮像装置１００が情報処理装置２００に装着されている場合の例を示す。
【０１０４】
なお、図６のａは、通知情報３１１、３１２を表示する点以外は、図５のａに示す例と同様である。また、図６のｂは、通知情報３１３を表示する点以外は、図５のｂに示す例と同様である。このため、ここでは、主に、図５のａおよびｂと異なる点について説明する。
【０１０５】
図６のｂに示す通知情報３１３は、操作部材２２１、２２２の役割を切り替えた旨を示す情報である。例えば、操作部材２２１、２２２の役割を切り替えた旨のメッセージと、役割を切り替えた操作部材２２１、２２２を指し示すための矢印とを表示することができる。これにより、ユーザは、操作部材２２１、２２２の役割が切り替えられたことを視覚的に容易に把握することができる。
【０１０６】
図６のａに示す通知情報３１１は、操作部材２２２の役割を元に戻した旨を示す情報である。図６のａに示す通知情報３１２は、操作部材２２１の役割を元に戻した旨を示す情報である。例えば、操作部材２２１、２２２の役割を元に戻した旨のメッセージを表示することができる。これにより、ユーザは、操作部材２２１、２２２の役割が元に戻されたことを視覚的に容易に把握することができる。なお、図６のｂと同様に、役割を元に戻した操作部材２２１、２２２を指し示すための矢印を表示するようにしてもよい。
【０１０７】
なお、図６では、通知情報を表示することにより操作部材の役割の切替をユーザに通知する例を示したが、通知情報を音声出力することにより操作部材の役割の切替をユーザに通知するようにしてもよい。
【０１０８】
なお、これらの操作部材の役割の切替例は、一例であり、これら以外の操作部材の役割を切り替えるようにしてもよい。
【０１０９】
［情報処理装置の動作例］
図７は、本技術の第１の実施の形態における情報処理装置２００による操作部材切替処理の処理手順の一例を示すフローチャートである。図７では、撮像装置１００の情報処理装置２００への装着の有無に基づいて、操作部材の役割を切り替える例を示す。
【０１１０】
最初に、制御部２５０は、撮像装置１００の情報処理装置２００への装着の有無を検出する（ステップＳ９０１）。
【０１１１】
続いて、制御部２５０は、撮像装置１００の情報処理装置２００への装着の有無に変化が生じたか否かを判断する（ステップＳ９０２）。装着の有無に変化が生じた場合は、例えば、撮像装置１００が情報処理装置２００に装着されている状態から未装着の状態に変化した場合、または、未装着の状態から、撮像装置１００が情報処理装置２００に装着されている状態に変化した場合を意味する。そして、装着の有無に変化が生じていない場合には（ステップＳ９０２）、ステップＳ９０４に進む。
【０１１２】
また、装着の有無に変化が生じた場合には（ステップＳ９０２）、制御部２５０は、その変化後の状態が、撮像装置１００が情報処理装置２００に装着されている状態であるか否かを判断する（ステップＳ９０３）。変化後の状態が、撮像装置１００が情報処理装置２００に装着されている状態である場合には（ステップＳ９０３）、制御部２５０は、撮像装置１００が情報処理装置２００に装着の場合の操作部材切替処理を行う（ステップＳ９１０）。なお、この操作部材切替処理については、図８を参照して詳細に説明する。
【０１１３】
変化後の状態が、撮像装置１００が情報処理装置２００に装着されている状態でない場合には（ステップＳ９０３）、制御部２５０は、撮像装置１００が情報処理装置２００に未装着の場合の操作部材切替処理を行う（ステップＳ９２０）。なお、この操作部材切替処理については、図９を参照して詳細に説明する。
【０１１４】
続いて、制御部２５０は、撮像動作の終了指示があったか否かを判断し（ステップＳ９０４）、撮像動作の終了指示がない場合には、ステップＳ９０１に戻り、撮像動作の終了指示があった場合には、表示制御処理の動作を終了する。
【０１１５】
なお、ステップＳ９０２、Ｓ９０３、Ｓ９１０、Ｓ９２０は、撮像装置１００との相対的な位置関係に基づいて、情報処理装置２００が備える操作部材の役割を切り替える制御を行う手順の一例である。
【０１１６】
また、本技術の第１の実施の形態は、情報処理装置２００において行われる操作部材、または、入出力部２４０に表示される表示画面を用いた操作入力に基づいて撮像動作に関する制御を行う撮像装置１００の制御方法の一例である。
【０１１７】
図８は、本技術の第１の実施の形態における情報処理装置２００による操作部材切替処理の処理手順のうちの撮像装置１００が装着の場合の操作部材切替処理（図７に示すステップＳ９１０の処理手順）を示すフローチャートである。図８では、操作部材の役割を切り替えた場合にその旨を示す通知情報を表示する例を示す。
【０１１８】
最初に、制御部２５０は、情報処理装置２００が備える操作部材を確認する（ステップＳ９１１）。すなわち、情報処理装置２００が備えるハードキーのチェックが行われる（ステップＳ９１１）。
【０１１９】
続いて、制御部２５０は、情報処理装置２００に音量調整ボタンが存在するか否かを判断し（ステップＳ９１２）、情報処理装置２００に音量調整ボタンが存在しない場合には、ステップＳ９１４に進む。また、情報処理装置２００に音量調整ボタンが存在する場合には（ステップＳ９１２）、制御部２５０は、情報処理装置２００の音量調整ボタンに、撮像装置１００のズームボタンの役割を割り当てる（ステップＳ９１３）。例えば、図５のｂ、図６のｂに示すように、情報処理装置２００には音量調整ボタン（操作部材２２２）が存在するため、音量調整ボタン（操作部材２２２）に撮像装置１００のズームボタンの役割が割り当てられる（ステップＳ９１３）。
【０１２０】
続いて、制御部２５０は、情報処理装置２００にシャッターボタンが存在するか否かを判断し（ステップＳ９１４）、情報処理装置２００にシャッターボタンが存在しない場合には、ステップＳ９１６に進む。また、情報処理装置２００にシャッターボタンが存在する場合には（ステップＳ９１４）、制御部２５０は、情報処理装置２００のシャッターボタンに、撮像装置１００のシャッターボタンの役割を割り当てる（ステップＳ９１５）。例えば、図５のａ、図６のａに示すように、情報処理装置２００にはシャッターボタン（操作部材２２１）が存在するため、シャッターボタン（操作部材２２１）に撮像装置１００のシャッターボタンの役割が割り当てられる（ステップＳ９１５）。
【０１２１】
続いて、制御部２５０は、操作部材に新たに割り当てた役割に対応する操作対象物を入出力部２４０から削除する（ステップＳ９１６）。例えば、音量調整ボタンおよびシャッターボタンの役割が切り替えられた場合には、図５のｂ、図６のｂに示すように、操作対象物３０２、３０７が入出力部２４０から削除される。
【０１２２】
続いて、操作部材の役割を切り替えた旨を示す通知情報を入出力部２４０に表示させる（ステップＳ９１７）。例えば、音量調整ボタンおよびシャッターボタンの役割が切り替えられた場合には、図６のｂに示すように、通知情報３１３が表示される。
【０１２３】
図９は、本技術の第１の実施の形態における情報処理装置２００による操作部材切替処理の処理手順のうちの撮像装置１００が未装着の場合の操作部材切替処理（図７に示すステップＳ９２０の処理手順）を示すフローチャートである。図９では、操作部材の役割を元に戻した旨を示す通知情報を表示する例を示す。
【０１２４】
最初に、制御部２５０は、情報処理装置２００が備える操作部材を確認する（ステップＳ９２１）。すなわち、情報処理装置２００が備えるハードキーのチェックが行われる（ステップＳ９２１）。
【０１２５】
続いて、制御部２５０は、情報処理装置２００に音量調整ボタンが存在するか否かを判断し（ステップＳ９２２）、情報処理装置２００に音量調整ボタンが存在しない場合には、ステップＳ９２４に進む。また、情報処理装置２００に音量調整ボタンが存在する場合には（ステップＳ９２２）、制御部２５０は、情報処理装置２００の音量調整ボタンの役割を元に戻す（ステップＳ９２３）。すなわち、情報処理装置２００の音量調整ボタンについて、撮像装置１００のズームボタンへの割り当てが解除される（ステップＳ９２３）。
【０１２６】
続いて、制御部２５０は、情報処理装置２００にシャッターボタンが存在するか否かを判断し（ステップＳ９２４）、情報処理装置２００にシャッターボタンが存在しない場合には、ステップＳ９２６に進む。また、情報処理装置２００にシャッターボタンが存在する場合には（ステップＳ９２４）、制御部２５０は、情報処理装置２００のシャッターボタンの役割を元に戻す（ステップＳ９２５）。すなわち、情報処理装置２００のシャッターボタンについて、撮像装置１００のシャッターボタンへの割り当てが解除される（ステップＳ９２５）。
【０１２７】
続いて、制御部２５０は、役割が元に戻された操作部材に割り当てられていた役割に対応する操作対象物を入出力部２４０に表示させる（ステップＳ９２６）。例えば、音量調整ボタンおよびシャッターボタンの役割が元に戻された場合には、図５のａ、図６のａに示すように、操作対象物３０２、３０７が表示画面に表示される。
【０１２８】
続いて、操作部材の役割を元に戻した旨を示す通知情報を入出力部２４０に表示させる（ステップＳ９２７）。例えば、音量調整ボタンおよびシャッターボタンの役割が元に戻された場合には、図６のａに示すように、通知情報３１１、３１２が表示される。
【０１２９】
＜２．第２の実施の形態＞
本技術の第１の実施の形態では、撮像装置および情報処理装置の相対的な位置関係に基づいて、情報処理装置が備える操作部材の役割を切り替える例を示した。ここで、撮像装置を情報処理装置に装着する場合において、その装着作業の際に、情報処理装置が備える操作部材にユーザが意図せずに触れてしまうことも想定される。このように、ユーザが意図せずに触れてしまった場合でも、その意図せずに触れてしまった操作部材による誤動作を防止することが重要である。
【０１３０】
そこで、本技術の第２の実施の形態では、撮像装置を情報処理装置に装着する場合において操作部材の接触による誤動作を防止する例を示す。なお、本技術の第２の実施の形態における撮像装置および情報処理装置の構成については、図１乃至図３に示す撮像装置１００および情報処理装置２００と同一である。このため、本技術の第２の実施の形態における各装置については、本技術の第１の実施の形態と同一の符号を付してこれらの説明の一部を省略する。
【０１３１】
［電源ボタンの押下操作による動作の切替例］
図１０は、本技術の第２の実施の形態における操作部材２２３（電源ボタン）の押下操作による動作の切替例を示す図である。図１０では、操作部材２２３（電源ボタン）の押下操作による動作を切り替える例を示す。図１０では、押下操作として短押し操作および長押し操作を行う場合の例を示す。なお、長押し操作は、比較的長い時間（例えば、３乃至５秒程度）の１度の押下操作を意味する。また、短押し操作は、長押し操作よりも短い時間の１度の押下操作を意味する。
【０１３２】
図１１は、本技術の第２の実施の形態における入出力部２４０に表示される表示画面および操作部材の切替例を示す図である。
【０１３３】
図１１のａには、撮像装置１００が情報処理装置２００に装着されていない場合の例を示し、図１１のｂには、撮像装置１００が情報処理装置２００に装着されている場合の例を示す。
【０１３４】
なお、図１１のａは、確認画面３２１を表示する点以外は、図５のａに示す例と同様である。また、図１１のｂは、確認画面３２２を表示する点以外は、図５のｂに示す例と同様である。このため、ここでは、主に、図１１のａおよびｂと異なる点について説明する。
【０１３５】
図１１のａおよびｂに示す確認画面３２１、３２２は、電源をオフするかを確認するための確認画面（電源をオフするかの確認ダイアログ）である。
【０１３６】
例えば、撮像装置１００を情報処理装置２００に装着するための作業をしていない場合（通常時）において、操作部材２２３（電源ボタン）が短押しされたときには、入出力部２４０に表示されている表示画面を消灯させる。このように、表示画面の消灯後に、操作部材２２３（電源ボタン）が短押しされた場合には、入出力部２４０にロック画面が表示される。このロック画面は、例えば、所定操作（例えば、入出力部２４０におけるタッチ操作）が制限されていることを通知するための表示画面である。なお、このロック画面を解除するためには、特定の解除操作を行う必要がある。
【０１３７】
ここで、上述したように、撮像装置１００を情報処理装置２００に装着する作業をユーザが行っている際に、情報処理装置２００の操作部材２２３をユーザが誤って押下してしまうおそれがある。この場合には、例えば、比較的短い時間だけ操作部材２２３が押下されることが想定される。この場合に、入出力部２４０に表示されている表示画面が消灯されると、作業中のユーザが困惑してしまうことが想定される。また、その表示画面の消灯後に、操作部材２２３（電源ボタン）を再度短押ししても、入出力部２４０にロック画面が表示されてしまう。このロック画面を解除するためには、上述したように、特定の解除操作を行う必要があるため、作業中にその解除操作を行うことが煩雑となるおそれがある。
【０１３８】
そこで、撮像装置１００を情報処理装置２００に装着するための作業をしている場合において、操作部材２２３（電源ボタン）の短押し操作がされたときには、その操作を無効とするようにする。これにより、撮像装置１００を情報処理装置２００に装着する作業を行っているユーザが操作部材２２３を誤って押下してしまったような場合でも、その作業を中断せずに円滑に進めることができる。なお、撮像装置１００を情報処理装置２００に装着するための作業をしているか否かについては、例えば、撮像装置１００および情報処理装置２００間の距離等に基づいて判断することができる。例えば、撮像装置１００および情報処理装置２００間の距離が閾値未満である状態が一定時間以上継続している場合に、撮像装置１００を情報処理装置２００に装着するための作業をしていると判断することができる。
【０１３９】
また、例えば、撮像装置１００を情報処理装置２００に装着するための作業をしていない場合（通常時）において、操作部材２２３（電源ボタン）の長押し操作がされたときには、電源をオフするかを確認するための確認画面を入出力部２４０に表示させる。この確認画面は、例えば、電源をオフするかを確認するための確認ダイアログである。例えば、図１１のａに示すように、確認画面３２１を入出力部２４０に表示させる。
【０１４０】
また、撮像装置１００を情報処理装置２００に装着するための作業をしている場合についても同様に、操作部材２２３（電源ボタン）が長押し操作がされたときには、電源をオフするかを確認するための確認画面を入出力部２４０に表示させる。例えば、図１１のｂに示すように、確認画面３２２を入出力部２４０に表示させる。なお、撮像装置１００を情報処理装置２００に装着するための作業をしている状態では、確認画面を表示させるための操作部材２２３（電源ボタン）の押下時間を、通常時よりも長くするようにしてもよい。
【０１４１】
このように、本技術の第２の実施の形態では、撮像装置１００を情報処理装置２００に装着するための作業を行っている場合には、操作部材２２３（電源ボタン）の長押し操作時のみ、確認画面を表示させる。これにより、撮像装置１００を情報処理装置２００に装着するための作業中に、情報処理装置２００の電源ボタンにユーザが誤って触れてしまったような場合でも、誤動作を防止することができる。
【０１４２】
なお、図１１では、確認画面を表示することにより操作部材２２３（電源ボタン）の長押し操作が行われた旨をユーザに通知する例を示したが、その旨を音声出力することによりユーザに通知するようにしてもよい。
【０１４３】
このように、本技術の実施の形態によれば、撮像装置１００および情報処理装置２００間の接続関係に基づいて情報処理装置２００の操作部材（ハードキー）の有効／無効を適切に制御することができる。すなわち、撮像装置１００および情報処理装置２００の使用態様に応じた適切なユーザインターフェースを提供することができる。
【０１４４】
なお、本技術の実施の形態では、円筒形（円柱形）の撮像装置１００を例にして説明したが、他の装置に取り付けることが可能な他の形状の撮像装置についても、本技術の実施の形態を適用することができる。また、本技術の実施の形態では、スマートフォン、タブレット端末等の情報処理装置２００を例にして説明したが、無線通信を利用して撮像装置と接続することが可能な他の装置についても、本技術の実施の形態を適用することができる。
【０１４５】
なお、上述の実施の形態は本技術を具現化するための一例を示したものであり、実施の形態における事項と、請求の範囲における発明特定事項とはそれぞれ対応関係を有する。同様に、請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１４６】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１４７】
なお、本明細書に記載された効果はあくまで例示であって、限定されるものではなく、また、他の効果があってもよい。
【０１４８】
なお、本技術は以下のような構成もとることができる。
（１）
撮像装置との相対的な位置関係に基づいて、情報処理装置が備える操作部材の役割を切り替える制御を行う制御部を具備する情報処理装置。
（２）
前記制御部は、前記撮像装置が前記情報処理装置に装着されているか否かに基づいて前記操作部材の役割を切り替える制御を行う前記（１）に記載の情報処理装置。
（３）
前記制御部は、前記撮像装置が前記情報処理装置に装着されていない場合には、前記撮像装置を操作するための操作対象物を表示部に表示させ、前記撮像装置が前記情報処理装置に装着されている場合には、前記操作対象物に対応する役割を前記操作部材に割り当て、前記操作対象物を前記表示部から消去する制御を行う前記（２）に記載の情報処理装置。
（４）
前記制御部は、前記撮像装置が前記情報処理装置に装着されていない場合には、前記撮像装置のズーム操作を行うための操作対象物と前記撮像装置のシャッター操作を行うための操作対象物とのそれぞれを前記表示部に表示させ、前記撮像装置が前記情報処理装置に装着されている場合には、前記ズーム操作を行うための役割を前記情報処理装置の音量調整を行うための操作部材に割り当て、前記シャッター操作を行うための役割を前記情報処理装置のシャッター操作を行うための操作部材に割り当てる制御を行う前記（３）に記載の情報処理装置。
（５）
前記制御部は、前記操作部材の役割を切り替えた場合にはその旨を示す通知情報を出力させる制御を行う前記（１）から（４）のいずれかに記載の情報処理装置。
（６）
撮像装置および情報処理装置の相対的な位置関係に基づいて前記情報処理装置が備える操作部材の役割が切り替えられる前記情報処理装置において行われる操作入力に基づいて撮像動作に関する制御を行う制御部を具備する撮像装置。
（７）
前記撮像装置が前記情報処理装置に装着されているか否かに基づいて前記操作部材の役割が切り替えられる前記（６）に記載の撮像装置。
（８）
前記撮像装置が前記情報処理装置に装着されていない場合には、前記撮像装置を操作するための操作対象物が前記表示部に表示され、前記撮像装置が前記情報処理装置に装着されている場合には、前記操作対象物に対応する役割が前記操作部材に割り当てられ、前記操作対象物が前記表示部から消去される前記（７）に記載の撮像装置。
（９）
前記撮像装置が前記情報処理装置に装着されていない場合には、前記撮像装置のズーム操作を行うための操作対象物と前記撮像装置のシャッター操作を行うための操作対象物とのそれぞれが前記表示部に表示され、前記撮像装置が前記情報処理装置に装着されている場合には、前記ズーム操作を行うための役割が前記情報処理装置の音量調整を行うための操作部材に割り当てられ、前記シャッター操作を行うための役割が前記情報処理装置のシャッター操作を行うための操作部材に割り当てられる前記（８）に記載の撮像装置。
（１０）
前記操作部材の役割が切り替えられた場合にはその旨を示す通知情報が前記情報処理装置から出力される前記（６）から（９）のいずれかに記載の撮像装置。
（１１）
無線通信を利用して情報処理装置と接続されて前記情報処理装置において行われる操作入力に基づいて撮像動作に関する制御が行われる撮像装置と、
前記撮像装置との相対的な位置関係に基づいて、前記情報処理装置が備える操作部材の役割を切り替える制御を行う情報処理装置と
を具備する撮像システム。
（１２）
撮像装置との相対的な位置関係に基づいて、情報処理装置が備える操作部材の役割を切り替える制御を行う情報処理装置の制御方法。
（１３）
撮像装置および情報処理装置の相対的な位置関係に基づいて前記情報処理装置が備える操作部材の役割が切り替えられる前記情報処理装置において行われる操作入力に基づいて撮像動作に関する制御を行う撮像装置の制御方法。
（１４）
撮像装置との相対的な位置関係に基づいて、情報処理装置が備える操作部材の役割を切り替える制御をコンピュータに実行させるプログラム。
（１５）
撮像装置および情報処理装置の相対的な位置関係に基づいて前記情報処理装置が備える操作部材の役割が切り替えられる前記情報処理装置において行われる操作入力に基づいて撮像動作に関する制御をコンピュータに実行させるプログラム。
【符号の説明】
【０１４９】
１００  撮像装置
１１０  撮像部
１２０  画像処理部
１３０  記憶部
１４０  制御部
１５０  無線通信部
１６０  鏡筒
１７１、１７２  取付部材
１７５  装着面
２００  情報処理装置
２１０  姿勢検出部
２２０  操作受付部
２２１〜２２３  操作部材
２３０  無線通信部
２４０  入出力部
２４１  入力部
２４２  表示部
２５０  制御部
２６０  画像処理部
２７０  記憶部
２８０  音声出力部
２９１  発光部
２９２  撮像部
【図１】
0006451644.tif 000002
【図２】
0006451644.tif 000003
【図３】
0006451644.tif 000004
【図４】
0006451644.tif 000005
【図５】
0006451644.tif 000006
【図６】
0006451644.tif 000007
【図７】
0006451644.tif 000008
【図８】
0006451644.tif 000009
【図９】
0006451644.tif 000010
【図１０】
0006451644.tif 000011
【図１１】
0006451644.tif 000012